(57)【要約】【課題】座席後方の空間部から延長される基部側パイプを、横方向のスペースを利用して左右の施肥条止めバルブに対して接続配管することにより、急な曲がりによる肥料詰まりを防止した施肥作業をスムーズに行う施肥機を提供する。【解決手段】施肥ポンプ８に接続する基部側パイプ２３ａを、座席１３の後方で左右の後側ステップ１６，１６の間に形成される空間部を通し、上方に延長して左右に振り分けると共に、振り分けた基部側パイプ２３ａを空間部の両側上方で縦向きに立設した施肥条止めバルブ３２に接続した。【選択図】図６
2006211916.tif 000002
【特許請求の範囲】
【請求項１】
座席（１３）両側の後輪（３ａ）の上方に前側のデッキ部（１１）に通ずる後側ステップ（１６），（１６）を形成した走行機体（４）に、肥料タンク（２）から機体腹部の施肥ポンプ（８）によって圧送される肥料を、施肥条止めバルブ（３２）を有する複数の施肥パイプ（２３）によって施肥ノズル（２２）から施肥する施肥装置（１ａ）を備えた施肥機（１）において、前記複数の施肥パイプ（２３）の施肥ポンプ（８）に接続する基部側パイプ（２３ａ）を、座席（１３）の後方で左右の後側ステップ（１６），（１６）の間に形成される空間部を通し、上方に延長して左右に振り分けると共に、振り分けた基部側パイプ（２３ａ）を空間部の両側上方で縦向きに立設した施肥条止めバルブ（３２）に接続した施肥機。
【請求項２】
施肥条止めバルブ（３２）と施肥ノズル（２２）を接続する施肥パイプ（２３）を、施肥条止めバルブ（３２）から上方に延出し、座席（１３）の背後に立設される門形状のガード部材（２７）に沿って支持することで機体中央に纏めたのち、後方へ延長して施肥ノズル（２２）に接続した請求項１記載の施肥機。
【請求項３】
空間部を配管カバー（１８）で覆うと共に、該配管カバー（１８）の側方から左右に振り分け配管された基部側パイプ（２３ａ）を施肥条止めバルブ（３２）に接続する請求項１又は２記載の施肥機。
【請求項４】
基部側パイプ（２３ａ）から施肥条止めバルブ（３２）を介して肥料を肥料タンク（２）に戻す肥料戻しパイプ（２５）を、後側ステップ（１６）の外側寄りに沿わせて肥料タンク（２）に接続する請求項１又は２又は３記載の施肥機。
【発明の詳細な説明】
【技術分野】
【０００１】
本発明は、苗の植付けと同時に施肥を行う移植機等に利用可能な施肥機に関する。
【背景技術】
【０００２】
従来、走行機体の後方に苗載台から掻き取った苗を圃場面に植え付ける植付装置と、肥料タンクに収容したペースト状の流体肥料を施肥ポンプによって繰り出し、施肥ノズルから地中に吐出施肥する施肥装置を併設し、苗の植付けと同時に施肥を行う乗用型の移植機が施肥機の一例として公知である。（例えば特許文献１）
【０００３】
上記移植機は、操縦部の前側デッキ部に通ずる後側ステップを座席の両側に構成した走行機体に、前方に搭載した肥料タンクから機腹部に設けられる施肥ポンプが有する施肥パイプを、左右の後側ステップの裏側に沿わせて配管支持すると共に、施肥パイプの中途部に有する施肥条止めバルブを後側ステップの後部に前後方向に設け、各施肥ノズルから条止め可能に施肥をする構成となっている。
【特許文献１】特開２００１−１６９４３号公報
【発明の開示】
【発明が解決しようとする課題】
【０００４】
上記特許文献１で示される移植機は、施肥ポンプから延長する複数の施肥パイプを左右の後側ステップの裏側に沿わせて配管支持されるので、施肥パイプが後輪によって持ち回されて飛散する泥土によって汚損される欠点がある。
またフェンダーを兼用した後側ステップの後方で前後方向に設置される施肥条止めバルブは、該施肥条止めバルブの前後方向の設置スペース及び施肥条止めレバーの操作スペースを必要とするため、座席と苗載台とを離間させ両者の間に形成される空間部を大きくするので、機体長さも大きくなり小型化が図り難い等の欠点がある。
【０００５】
また上記移植機は泥土の付着を防止するために、左右の後側ステップに沿わせて配管された左右の施肥パイプを、後側ステップの後部から内側に向けて屈曲させて機体の中心部寄りに束ねて纏めようとすると、前記空間部内で施肥パイプを無理な状態で急に曲げねばならず、急な屈曲部に対して肥料詰まりが生じ易い欠点があると共に、配管及びその支持構造が煩雑になる等の問題がある。
【課題を解決するための手段】
【０００６】
上記課題を解決するために本発明の施肥機は、第１に、座席１３両側の後輪３ａの上方に前側のデッキ部１１に通ずる後側ステップ１６，１６を形成した走行機体４に、肥料タンク２から機体腹部の施肥ポンプ８によって圧送される肥料を、施肥条止めバルブ３２を有する複数の施肥パイプ２３によって施肥ノズル２２から施肥する施肥装置１ａを備えた施肥機１において、前記複数の施肥パイプ２３の施肥ポンプ８に接続する基部側パイプ２３ａを、座席１３の後方で左右の後側ステップ１６，１６の間に形成される空間部を通し、上方に延長して左右に振り分けると共に、振り分けた基部側パイプ２３ａを空間部の両側上方で縦向きに立設した施肥条止めバルブ３２に接続したことを特徴としている。
【０００７】
第２に、施肥条止めバルブ３２と施肥ノズル２２を接続する施肥パイプ２３を、施肥条止めバルブ３２から上方に延出し、座席１３の背後に立設される門形状のガード部材２７に沿って支持することで機体中央に纏めたのち、後方へ延長して施肥ノズル２２に接続したことを特徴としている。
【０００８】
第３に、空間部を配管カバー１８で覆うと共に、該配管カバー１８の側方から左右に振り分け配管された基部側パイプ２３ａを施肥条止めバルブ３２に接続することを特徴としている。
【０００９】
第４に、基部側パイプ２３ａから施肥条止めバルブ３２を介して肥料を肥料タンク２に戻す肥料戻しパイプ２５を、後側ステップ１６の外側寄りに沿わせて肥料タンク２に接続することを特徴としている。
【発明の効果】
【００１０】
以上のように本発明によれば、施肥ポンプに接続される複数の基部側パイプを、座席の後方でフェンダー機能を有する左右の後側ステップの間に形成される空間部を通し上方に延長して左右に振り分け、振り分けられた基部側パイプを空間部の両側上方で縦向きに立設した施肥条止めバルブに接続させることにより、後輪との干渉を避けながら機体腹部の施肥ポンプから上方の施肥条止めバルブに簡単に配管することができ、後輪による汚損を防止することができる。
【００１１】
施肥条止めバルブと施肥ノズルを接続する施肥パイプの中途部を、操縦部の背後に立設されるガード部材に支持することにより、各施肥パイプをガード部材内のスペースを利用して、施肥条止めバルブから急な曲がりを発生しないように迂回状に支持し機体中央側に纏めて、走行機体と植付装置との間を広げることなく配管することができる。
【００１２】
空間部を配管カバーによって塞ぐので、座席の後方で後側ステップと後部カバーによって広いステップを形成し、オペレータの左右移動を妨げることなく苗補給等の作業を行い易くすることができる。
【００１３】
基部側パイプから施肥条止めバルブを介して肥料を肥料タンクに戻す肥料戻しを設け、該肥料戻しパイプを後側ステップの外側寄りに沿わせて肥料タンクに接続したことにより、オペレータがステップ上を移動する際の妨げとなることなく、また肥料タンクに戻される肥料の流れ具合等の状況も外観し易くなる等の利点がある。
【発明を実施するための最良の形態】
【００１４】
本発明の一実施形態を図面に基づいて説明する。図面において符号１は、肥料タンク２に収容したペースト状の肥料を繰り出して施肥する施肥機の一例として、苗の植付けと同時に地中施肥を行う乗用型の移植機を示す。
この移植機１は、前輪３，後輪３ａ及び後輪補助車輪３ｂ，３ｂを備えた走行機体４に、前部にエンジンをボンネット５で覆って搭載し、その後方に操縦部６を配置し、機腹部にエンジンから駆動されるトランスミッション７と施肥ポンプ８を備え、機体後部に油圧作動型の昇降リンク機構９を介して植付装置１０を昇降可能に支持している。
【００１５】
操縦部６は、ボンネット５の後方で走行機体４にフラット状の広巾面で形成されるデッキ部１１と、該デッキ部１１の前後にハンドル１２と座席１３を配置してなる。そして、座席１３はデッキ部１１の後方中央部に立設した座席フレーム１５の上部に設置されており、座席１３の側方の後輪３ａ，後輪補助車輪３ｂ，３ｂの上方には、オペレータが後方に向けて歩行移動することができる後側ステップ１６を、デッキ部１１の後部に座席フレーム１５の両外側に沿って、従来のものと同様な手段によって形成している。
【００１６】
また座席フレーム１５の後方で後側ステップ１６，１６の間は、配管用の空間部を形成する通し孔１７ａを切欠した後部カバー１７によって開閉可能に覆っている。
これにより、オペレータが一方の後側ステップ１６から他方の後側ステップ１６側へ移動し易くすることができる。また通し孔１７ａは後述する複数の施肥パイプ２３の施肥ポンプ８に接続する基部側パイプ２３ａを、機腹部から上方に向け纏めた状態で通しながら左右に振り分けて配管することができる。
【００１７】
また空間部としての通し孔１７ａの上方は配管カバー１８によって覆うようにしており、通し孔１７ａを通して振り分けて配管される基部側パイプ２３ａは配管カバー１８の側方から操作ユニット３０，３０側に向けて配管することができる。
これにより、配管カバー１８は通し孔１７ａ及び基部側パイプ２３ａの振り分け部位を上方から塞いで簡単に覆うことができ、座席１３の背後スペースを利用して行う苗の補給作業や他のメンテナンス作業等を、通し孔１７ａや基部側パイプ２３ａに支障されることなく行い易くすることができる。
【００１８】
次に植付装置１０について説明する。この植付装置１０は、８条分のマット苗を載置する苗載台１９と、苗載台１９から苗を掻き取って植付ける各植付爪２０，２０・・と、植付時に接地させる複数のフロート２１等から構成される。
各フロート２１は後述する施肥パイプ２３の先端側パイプ２３ｃと接続する施肥ノズル２２を下向きに取付支持している。そして、各施肥ノズル２２は対応する各植付爪２０の側方において、肥料タンク２から繰り出される肥料を地中の所定深さ位置に施肥する構成となっている。
【００１９】
図２，図５で示されるように植付装置１０は、後方に延設する４本の植付伝動ケース１０ａに対となる左右の植付爪２０，２０を備え、且つ植付爪２０，２０は図３，図４で後述する操作ユニット３０が備える植付け条止めレバー３１の切換操作によって、植付け動力を断続することができるようにしている。
即ち、同図の植付け条止めレバー３１は、前側に回動操作すると従来のものと同様なクラッチ連繋構造によって、植付け動力が遮断されて植付け停止状態に切り換えることができ、また復帰操作に基づき再び伝動し植付け作動状態にすることができる。尚、植付装置１０に対する動力の入り切りは、操縦部６に設置される図示しない植付クラッチレバーの操作によって行われる。
【００２０】
次に、上記移植機１に併設される施肥装置１ａについて説明する。この施肥装置１ａは、ボンネット５の両側で走行機体４に取付支持される左右の肥料タンク２，２と、該肥料タンク２，２に通じ収容された肥料を繰り出して圧送する施肥ポンプ８と、該施肥ポンプ８の肥料吐出口に接続される８本の施肥パイプ（肥料分配管）２３と、各施肥パイプ２３，２３・・の先端部に接続されて肥料を吐出し地中に施肥する施肥ノズル２２，２２・・と、各施肥パイプ２３，２３・・の中途部で後述する操作ユニット３０の施肥条止めバルブ３２を介し余剰（溢流）肥料を肥料タンク２側に戻すように接続される肥料戻しパイプ２５等から構成される。
【００２１】
そして、図４，図５，図６で示すように、上記施肥ポンプ８から後方に纏めて延長される８本の施肥パイプ２３，２３・・は、座席１３の背後において走行機体４の後部側中央部に設けられる図５で示す取付ブラケット２６によって横列に並べて取付支持した状態から、左右の４本づつを前記通し孔１７ａを通して図５，図６で示すように左右に振り分けて延長し、通し孔１７ａの左右に立設される操作ユニット３０，３０にそれぞれ接続される。
【００２２】
さらに、操作ユニット３０，３０から上方に向けて延長される各４本づつの施肥パイプ２３は、操縦部６の背後に立設される門形状のガード部材２７に止めバンド等の取付具２９によって、中途部が支持される迂回支持手段によって支持したのち、植付装置１０の左右に設置される各４本の対応する施肥ノズル２２とそれぞれ接続する構成となっている。  
【００２３】
このため図示例の各施肥パイプ２３は、基部側パイプ２３ａと中間パイプ２３ｂと先端側パイプ２３ｃとに、それぞれ所定長さを以て分割形成される。そして、以下に述べるように操作ユニット３０及び取付ブラケット２６ａに設けたパイプ継手２８，２８・・を介して一連に接続配管できる構成となっている。尚、図４に示すようにパイプ継手２８は、側面視Ｌ型の継手用パイプとなし、前記取付ブラケット２６の背後に略平行状に設けられる取付ブラケット２６ａに沿って８本分の各施肥パイプを接続することができるように設けている。
【００２４】
即ち、基部側パイプ２３ａは施肥ポンプ８の各肥料吐出口に接続され後端部側を取付ブラケット２６によって位置決め支持したのち、通し孔１７ａを通し左右に振り分けられ、それぞれのパイプ端が操作ユニット３０，３０に接続される。中間パイプ２３ｂは基部側を操作ユニット３０内に設置される施肥条止めバルブ３２に接続し、中途部を前記ガード部材２７に迂回支持した状態となして、先端部が取付ブラケット２６ａのパイプ継手２８の一端と接続される。
【００２５】
先端側パイプ２３ｃは基部側がパイプ継手２８の他端に接続され、先端部に施肥ノズル２２が接続される。以上のような配管構造からなる各施肥パイプは急な曲がりを伴うことなく、施肥ポンプ８から操作ユニット３０，３０を介し植付装置１０の施肥ノズル２２と接続され、肥料の詰まりを防止した吐出施肥をスムーズに行うことができる。
施肥パイプ２３は上記のように複数に分割し接続される構成としたことにより、管路の中途に肥料詰まりや損傷を生じた際には、この部分のパイプのみを取り外すことができるので、清掃或いは交換等のメンテナンス作業を簡単且つ廉価に行うことができる。
【００２６】
また施肥パイプ２３及び肥料戻しパイプ２５は可撓性を有する透明状のパイプとし、配管施工を行い易くしていると共に、肥料の流れを外観し易くしている。
尚、中間パイプ２３ｂと先端側パイプ２３ｃは、それぞれパイプ継手２８を介して接続し取付ブラケット２６ａ側に纏めたが、パイプ継手２８を用いない場合は、先端側パイプ２３ｃに中間パイプ２３ｂを一体とした施肥パイプにすることもできる。
【００２７】
次に、前記操作ユニット３０について説明する。尚、この実施形態の操作ユニット３０，３０は取付ブラケット２６の左右でガード部材２７の略直下において横一列に配置され略同一な構造としているので、図３で示す右方に設置される操作ユニット３０についてのみ説明し他を省略する。
【００２８】
同図の操作ユニット３０は、箱形の本体枠を形成するカバー３３の下部を、走行機体４の後部に横設される取付フレーム４ａに支脚３５，３５を介し着脱可能に立設される。
そして、カバー３３の内部には、各基部側パイプ２３ａと中間パイプ２３ｂとを上下方向の縦向きに接続する、前記施肥条止めバルブ３２を横一列に並設したユニット構造として取付固定している。
【００２９】
上記カバー３３の上側面には各施肥条止めバルブ３２が有する施肥条止めレバー３６を上方に向けて突出させて操作可能とするレバー溝３７を穿設している。尚、カバー３３は前記植付け条止めレバー３１を施肥条止めレバー３６と同方向に操作可能に取付支持しており、植付け条止めレバー３１は最外側のレバー溝３７に操作可能に挿入している。
【００３０】
各施肥条止めバルブ３２は一本の肥料戻しパイプ２５を一連に接続しており、任意の基部側パイプ２３ａに対応する施肥条止めレバー３６が施肥条止め方向の操作によって閉じられたとき、基部側パイプ２３ａ側から供給される肥料（余剰肥料）を外部に溢流させることなく、肥料戻しパイプ２５から肥料タンク２内に戻すことができる。
また左右の操作ユニット３０に設置される肥料戻しパイプ２５，２５は、それぞれ左右の後側ステップ１６，１６の裏側で外側寄りに沿って適所を支持されながら、デッキ部１１の外側寄りを通し前側から肥料タンク２，２の上部に接続配管される。
【００３１】
これにより肥料戻しパイプ２５を、後側ステップ１６及びデッキ部１１の表面に露出させることなく、苗補給等の作業時に肥料戻しパイプ２５を踏みつける等の憂いを解消することができると共に、機体外側寄りから肥料タンク２に至る肥料戻しパイプ２５の肥料の流れを視認し易くなる等の特徴がある。
また図示例の操作ユニット３０は、各パイプ内を流れる肥料の詰まりを検出する詰まり検出スイッチ３９を、各対応する施肥条止めバルブ３２の下部に一体的に接続させたユニット構造によって備えている。
【００３２】
以上のように左右の操作ユニット３０，３０は、施肥条止めレバー３６及び施肥条止めバルブ３２と詰まり検出スイッチ３９を縦向きに一体化させ、横方向に並列させてコンパクトに纏めて構成して、座席１３と植付装置１０の苗載台１９との間において縦向きに立設されるから、前後方向の設置スペースを大きく占めることなく操縦部６の後方で通し孔１７ａの両側に横１列状に設置することができる。
【００３３】
従って、左右の操作ユニット３０は、施肥条止めレバー３６，植付け条止めレバー３１等をオペレータが操作し易い前側寄りに設置することができるものであり、且つ縦向き状に設置される操作ユニット３０は、座席１３の背後でオペレータが左右の後側ステップ１６，１６間を移動して苗補給等の作業を行うに必要な移動空間を十分に確保することができる等の特徴がある。
【００３４】
さらに、上記操作ユニット３０が備える施肥条止めバルブ３２は前側寄りで高所に配置されるから、苗載台１９の下方と昇降リンク機構９の広い空間部を利用した配管を施肥ノズル２２側に向けて行うことができる。このため施肥パイプ２３は昇降リンク機構９に沿わせた低い位置にパイプの屈曲率を小さくして配管することなく、空間部を通して配管構造を簡潔にしながら、急な曲がりを防止することができると共に、泥土の飛散付着による汚損等を回避することができる。
【００３５】
次に、走行機体４の後部に立設される前記ガード部材２７について説明する。ガード部材２７は直杆パイプ等からなる横杆部４０の両側に形成される支脚部４１を、左右の操作ユニット３０，３０を上方から跨いだ状態で取付フレーム４ａの両端に取付固定し、且つ中央部の支脚部４２を通し孔１７ａを介し取付フレーム４ａに取付固定した剛構造で立設される。
【００３６】
これにより、ガード部材２７は操縦部６と苗載台１９の間において、苗載台１９にマット苗を補給する際の保護枠として使用でき、また座席１３からオペレータが後方を振り向いて植付作業状態を確認する際、或いは植付け条止めレバー３１や施肥条止めレバー３６を操作するとき、姿勢を安定させるために把持する把持部材や手摺りとなる。
またガード部材２７はその上下及び左右方向のスペース内に、前記中間パイプ２３ｂを前後方向に大きくはみだすことなく配管支持する支持部材として利用する。
【００３７】
即ち、図示例のガード部材２７は横杆部４０を座乗するオペレータが把持し易い高さで左右に長く形成されており、操作ユニット３０，３０から上方に向けて延長される各中間パイプ２３ｂの中途部を、取付具２９によって安定よく簡単に支持することができる。
このとき、左右に振り分けられる各中間パイプ２３ｂは、互いの適正間隔を設けて適正箇所を横杆部４０に取付支持することができ、こののち中央側に向けて下向きに屈曲させて取付ブラケット２６ａに向けて略平行姿勢で纏めて垂下させることができる。
【００３８】
これにより、中間パイプ２３ｂは無理に屈曲されることなく上方に大きな屈曲率を以て迂回支持することができるから、各中間パイプ２３ｂの端部を取付ブラケット２６ａに設けた各対応するパイプ継手２８に順次接続することができる。
従って、中間パイプ２３ｂは急な曲がりを伴うことなく肥料詰まりの憂いや屈曲部の劣損を防止した、施肥ノズル２２側への肥料供給をスムーズに行うことができる。
【００３９】
以上のように構成される移植機１は、座席１３の後方でフェンダー機能を有する左右の後側ステップ１６の間に形成される空間部を通し上方に延長して左右に振り分ける基部側パイプ２３ａを、空間部の両側上方で縦向きに立設した施肥条止めバルブ３２に接続させるので、後輪３ａとの干渉を避けながら機体腹部の施肥ポンプ８から上方の施肥条止めバルブ３２に配管でき、後輪３ａによる汚損を防止することができる。
また施肥ポンプ８に接続される複数の基部側パイプ２３ａを、座席１３の後方で左右の後側ステップ１６，１６の間に形成される空間部を通して上方に延長し左右に振り分けて、空間部の両側上方に縦向きに立設した操作ユニット３０の施肥条止めバルブ３２に接続するので、走行機体４と植付装置１０の間を広げることなく施肥パイプ２３の急な曲がりを防止して配管をすることができる。
【００４０】
また上記左右の後側ステップ１６，１６の間は後部カバー１７を設けて覆い、該後部カバー１７に形成した通し孔１７ａに基部側パイプ２３ａを通して振り分け、且つ通し孔１７ａの上方は配管カバー１８によって基部側パイプ２３ａの振り分けられるパイプ部分と共に覆われるので、座席１３の後方で後側ステップ１６，１６と後部カバー１７で形成される機体後部カバーを実質的に広くすることができ、オペレータの左右移動を妨げることなく苗補給等の作業を行い易くすることができる。
【００４１】
さらに、条止め施肥作業時に余剰肥料を肥料タンク２に戻す肥料戻しパイプ２５は、後側ステップ１６の外側寄りに沿わせ前側の肥料タンク２に接続しているので、オペレータがステップ上を移動する際に踏みつけたり妨げになることなく、また肥料タンク２に戻される肥料状況の目視による確認も容易にできる等の利点がある。
【図面の簡単な説明】
【００４２】
【図１】本発明を備えた移植機の側面図である。
【図２】図１の移植機の要部の構成を示す平面図である。
【図３】操作ユニットの正面図である。
【図４】図１の移植機の配管構造を示す側面図である。
【図５】図４の平面図である。
【図６】配管構造を一部分解をして示す背面図である。
【符号の説明】
【００４３】
１    移植機（施肥機）
１ａ  施肥装置
２    肥料タンク
４    走行機体
６    操縦部
８    施肥ポンプ
１１  デッキ部
１３  座席
１６  後側ステップ
１７  後部カバー
１７ａ  通し孔
１８  配管カバー
２３  施肥パイプ
２３ａ  基部側パイプ
２３ｂ  中間パイプ
２５    肥料戻しパイプ
３２  施肥条止めバルブ
【図１】
2006211916.tif 000003
【図２】
2006211916.tif 000004
【図３】
2006211916.tif 000005
【図４】
2006211916.tif 000006
【図５】
2006211916.tif 000007
【図６】
2006211916.tif 000008